(57)【特許請求の範囲】
【請求項１】
クロノグラフ指針がモータ駆動パルスによって電気的に回転駆動され機械的に帰零制御されるクロノグラフ時計であって、
クロノグラフ計時開始後の１回目の前記モータ駆動パルスの発生のタイミングを、クロノグラフの計時周期から所定時間遅らせる遅延制御部を有するクロノグラフ時計。
【請求項２】
前記遅延制御部が、２回目の前記モータ駆動パルスの発生のタイミング又は該２回目を含む複数回の前記モータ駆動パルスの発生のタイミングを更に遅延させるように構成された請求項１に記載のクロノグラフ時計。
【請求項３】
前記遅延制御部が、複数の遅延した前記モータ駆動パルスのうち後の前記モータ駆動パルスの発生のタイミング程、対応する計時周期の時点に対する遅延時間がより短くなるように該モータ駆動パルスを発生するように構成された請求項２に記載のクロノグラフ時計。
【請求項４】
１回目の前記モータ駆動パルスに応じた駆動の際に回転が生じなかったことを検出した場合には、回転が検出されるまで、同相の前記モータ駆動パルスを発生するように構成された請求項１から３までのいずれか一つの項に記載のクロノグラフ時計。
【請求項５】
計時周期と前記所定時間とを加算した時間が、帰零状態にあるクロノグラフ時計において該時計の運針の規正が解除されるに通常要する最大時間よりも大きい請求項１から４までのいずれか一つの項に記載のクロノグラフ時計。
【請求項６】
前記最大時間は、クロノグラフ輪列に対する停止制御が解除されるに要する最大時間である請求項５に記載のクロノグラフ時計。
【請求項７】
帰零状態にある際に、スタート／ストップボタンの押圧に応じて閉成される接点部を介して電気的なスタート指示信号が出され、該スタート／ストップボタンの押圧に応じて変位される復針伝達第一レバーにより復針レバーが変位されて機械的な帰零解除が行われるように構成された請求項１から６までのいずれか一つの項に記載のクロノグラフ時計。
【請求項８】
帰零状態にある際に、前記スタート／ストップボタンの押圧に応じて変位される前記復針伝達第一レバーにより復針伝達第二レバーが変位され、該復針伝達第二レバーの変位により停止レバーが変位されてクロノグラフ輪列に対する機械的な停止解除が行われるように構成された請求項７に記載のクロノグラフ時計。
【発明の詳細な説明】
【技術分野】
【０００１】
本発明は、クロノグラフ時計に係る。
【背景技術】
【０００２】
クロノグラフ時計としては、駆動と帰零との両方を機械的に行うものだけでなく、駆動と帰零との両方を電気的に行うものも知られている。
【０００３】
一方、クロノグラフ指針が電気的に駆動制御され機械的に帰零制御されるタイプのクロノグラフ時計も知られている（特許文献１）。
【０００４】
この特許文献１に開示のクロノグラフ時計のようにクロノグラフ指針が電気的に駆動制御され機械的に帰零制御されるタイプのクロノグラフ時計では、例えば、リセット状態においては、クロノグラフ指針のある真（軸）のハートカムがハンマーにより機械的に帰零状態に保たれ且つクロノグラフ指針を動作させるクロノグラフ輪列に対して停止レバーが係合して該輪列が機械的に停止状態に保たれる。
【０００５】
従って、この種のクロノグラフ時計において、スタートボタンを押してクロノグラフ動作の開始指示を行う場合、典型的には、
（１）帰零に係るレバーが回動等されてハンマーが変位されることによりハートカムと一体的なクロノグラフ真の回転が許容され（帰零制御解除）、且つ
（２）停止レバーが回動等されることによりモータとクロノグラフ指針とをつなぐクロノグラフ輪列に対する規正が解除された後（停止制御解除）、
（３）スタートボタン押圧に応じたクロノグラフ指針の運針を開始させるためのモータの回転駆動信号が出される（運針制御開始）こと
が必要である。
【０００６】
ところが、実際には、上記（１）の帰零制御や（２）の停止制御の解除に要する時間が厳密には一定でなく特に機械的な制御であって関連部品にバラツキがあり、また、コストを最低限に抑えるべく構造を簡単化しようとすると、そのバラツキも大きくなり易いことから、個体毎のばらつきが必ずしも小さくない。
【０００７】
一方、（３）の運針制御開始のためのモータ回転駆動信号が出される時点で、（１）の帰零制御解除や（２）の停止制御解除が完了していないときには、正確なクロノグラフ動作が行われ得ない。このような事態の発生を避けるべく、従来は、クロノグラフ時計の計時周期（例えば、１／１００秒）に応じて、（１）の帰零制御の解除の遅れや（２）の停止制御の解除の遅れが、そのバラツキを考慮して、該計時周期よりも確実に短くなるように、機械系を設計し製造する必要があった。ここで、バラツキについて安全を見込むと、多くの場合に実際に必要なものよりも、高価な機械系を準備せざるを得なくなる。
【０００８】
なお、特許文献１においても、電気的な駆動制御と機械的な停止等制御とが組み合わされた系に特有の問題として生じる両者のタイミングを合わせる必要性についての一つの提案はある。より具体的には、特許文献１には、モータに対する回転駆動信号が未だ出されているにもかかわらず、機械的な停止制御等が開始されるような事態が生じるのを避けるべく、機械的な構造を改変して帰零制御等の開始のタイミングを制御する技術等が提案されている。しかしながら、この特許文献１に提案されている改変は、帰零（リセット）状態にあるクロノグラフ時計において、クロノグラフ動作を開始させる際における上記のような問題の解決につながる技術については、開示も示唆もない。
【発明の開示】
【発明が解決しようとする課題】
【０００９】
本発明の目的は、前記諸点に鑑みなされたものであって、その目的とするところは、クロノグラフ指針が電気的に駆動制御され機械的に帰零制御されるタイプのクロノグラフ時計であって、クロノグラフ輪列やクロノグラフ指針の回転に対する機械的な規正が解除される前に、クロノグラフ輪列やクロノグラフ指針の駆動用のモータが電気的に駆動されて正確な運針が妨げられるのを防ぎ得るようにしたクロノグラフ時計を提供することにある。
【課題を解決するための手段】
【００１０】
本発明のクロノグラフ時計は、前記目的を達成すべく、クロノグラフ指針がモータ駆動パルスによって電気的に回転駆動され機械的に帰零制御されるクロノグラフ時計であって、運針開始直後の１回目のモータ駆動パルスの発生のタイミングを、スタート指示の後、所定時間遅らせる遅延制御部を有する。
【００１１】
本発明のクロノグラフ時計では、「運針開始直後の１回目のモータ駆動パルスの発生のタイミングを、スタート指示の後、所定時間遅らせる遅延制御部」が設けられているので、従来であればスタート指示を受けた時点から計時周期だけ後に出されていた最初のモータ駆動パルスが、該計時周期が経過した後であって更に前記所定時間経過した時点で出させるように遅延制御部による制御が行われる。従って、この所定時間として、機械的な帰零制御が解除されるに要する時間に対する猶予時間を確保するようにしておけば、機械的に規正された状態のクロノグラフ輪列やクロノグラフ指針を誤ってモータで無理矢理回転させようとするような事態が生じるのを避け得る。従って、本発明のクロノグラフ時計では、機械的な規正のタイミングに個体差があり該個体差がモータ駆動パルスに従ったモータの電気的な運針駆動を妨げる虞れがある場合であっても、個体差の影響を受けるのを最低限し得る。
【００１２】
すなわち、一般的には、帰零状態にあるクロノグラフ時計のクロノグラフ計時動作を開始させる場合に、該時計の機械的な系の動作速度のバラツキが悪影響を与える虞れがあるので、機械的な系の動作速度のバラツキを最低限に抑えるような設計や製造が要請される反面、該要請を満たそうとすると、クロノグラフ時計のコストが高くなるのを避け難い。これに対して、本発明のクロノグラフ時計においては、一方では、機械系の動作速度にある程度のバラツキが生じるのを許容して設計の自由度を高めると共に製造コストを最低限に抑えることを可能にし、他方では、機械系の動作速度のバラツキに応じて、所定時間の遅延をもってモータの電気的駆動を行うようにすることにより、機械系を複雑化させることなくして、しかも、電気的な回転駆動と機械的な帰零を含む回転規正との両方の長所を併せ持つクロノグラフ時計が安価に且つ誤動作の虞れが最低限に抑制された状態で製造され得る。
【００１３】
本発明のクロノグラフ時計では、典型的には、例えば、遅延制御部が、２回目のモータ駆動パルスの発生のタイミング又は該２回目を含む複数回のモータ駆動パルスの発生のタイミングを更に遅延させるように構成される。
【００１４】
これにより、遅延制御が最低限であるにも関わらず、クロノグラフ輪列やクロノグラフ指針の回転に対する機械的な規正が解除される前に、クロノグラフ輪列やクロノグラフ指針の駆動用のモータが電気的に駆動されるのを防ぎ得る。
【００１５】
この場合、典型的には、前記遅延制御部が、複数の遅延したモータ駆動パルスのうち後のモータ駆動パルスの発生のタイミング程、対応する計時周期の時点に対する遅延時間がより短くなるように該モータ駆動パルスを発生するように構成される。
【００１６】
その場合、遅延制御されたモータ駆動パルスと遅延制御されていないモータ駆動パルスとの間の間隔が通常の運針駆動パルス間の間隔（クロノグラフ計時周期、例えば、１／１００秒、但しより短くてもより長くてもよい）よりも大幅に短くなるのを避け得る。従って、クロノグラフ指針が不自然な動きをするのを最低限に抑え得、また、輪列に対して過大な負荷がかかる虞れを最低限に抑え得る。
【００１７】
なお、本発明のクロノグラフ時計において、１回目のモータ駆動パルスに応じた駆動の際に回転が生じなかったことを検出した場合には、回転が検出されるまで、同相のモータ駆動パルスを発生するように構成されていてもよい。
【００１８】
これにより、万一、初回の遅延したモータ駆動パルスによっても回転駆動が行われなかった場合であっても、確実に、回転駆動を行わせ得る。
【００１９】
なお、同相のモータ駆動パルスを発生させる期間の上限は、所望により、制限される。該上限は、例えば、クロノグラフの計時周期について２周期分（次のモータ駆動パルスを出すより前の時点まで）であっても、異常な状態を排除する範囲内で３周期分以上の所望の期間であってもよい。
【００２０】
本発明のクロノグラフ時計では、前述のように、典型的には、計時周期と前記所定時間とを加算した時間が、帰零状態にあるクロノグラフ時計において該時計の運針の規正が解除されるに通常要する最大時間よりも大きい。
【００２１】
ここで、典型的には、前記最大時間は、クロノグラフ輪列に対する停止制御が解除されるに要する最大時間である。
【００２２】
本発明のクロノグラフ時計では、前述のように、典型的には、例えば、帰零状態にある際に、スタート／ストップボタンの押圧に応じて閉成される接点部を介して電気的なスタート指示信号が出され、該スタート／ストップボタンの押圧に応じて変位される復針伝達第一レバーにより復針レバーが変位されて機械的な帰零解除が行われるように構成される。
【００２３】
また、本発明のクロノグラフ時計では、前述のように、典型的には、例えば、帰零状態にある際に、前記スタート／ストップボタンの押圧に応じて変位される復針伝達第一レバーにより復針伝達第二レバーが変位され、該復針伝達第二レバーの変位により停止レバーが変位されてクロノグラフ輪列に対する機械的な停止解除が行われるように構成される。
【発明を実施するための最良の形態】
【００２４】
本発明の好ましい一実施の形態を添付図面に示した好ましい一実施例に基づいて説明する。
【実施例】
【００２５】
本発明の好ましい一実施例のクロノグラフ時計１は、図３に示したように、腕時計の形態で、中心軸線Ｃ１のまわりで回転され現在時刻を表示する時針１１，分針１２及び秒針１３を備えると共に、中心軸線Ｃ２のまわりで回転されるクロノグラフ秒針１４及び中心軸線Ｃ３のまわりで回転されるクロノグラフ分針１５を備える。
【００２６】
例えば、Ｄ１方向に二段引出した状態で巻真１６を回すことにより時刻表示針１１，１２，１３を回転し得、巻真１６をＤ１方向に一段引出した状態で巻真１６を回すことにより窓を介して表示される日車の日付１７を変更し得る。クロノグラフ時計１の通常の時刻表示にかかわる動作は、通常の電子時計と同じであり、当業者に周知であるので、以下では、通常運針に係る構造や機能や動作については、記載を省略する。
【００２７】
クロノグラフ時計１では、クロノグラフ指針１４，１５は、電気的に駆動制御され機械的に帰零制御される。
【００２８】
クロノグラフ時計１では、スタート／ストップボタン１８をＡ１方向に押すことにより、クロノグラフ時計１によるクロノグラフ動作の開始、停止が指示される。より詳しくは、クロノグラフ動作の開始／停止とは、クロノグラフ指針１４，１５の運針の開始／停止を指し、後述のようにこれに関連して電気的な駆動系の動作及びクロノグラフ指針の電気的な位置情報の保持が行われる。但し、場合によっては、クロノグラフ指針の電気的な位置情報は保持していなくてもよい。
【００２９】
クロノグラフ時計１では、また、リセットボタン１９をＢ１方向に押すことにより、クロノグラフ時計１によるクロノグラフ動作のリセットすなわち初期状態への復帰（帰零）が指示される。より詳しくは、クロノグラフ動作のリセットとは、クロノグラフ指針１４，１５の初期位置への強制的な復帰（帰零）、並びにクロノグラフ指針１４，１５の運針の停止及びクロノグラフ指針の電気的な位置情報のリセットを指す。
【００３０】
まず、クロノグラフ時計１のスタート、運針及び帰零にかかわる機械的な構造５及び動作について、主として、図２の（ａ）及び（ｂ）に基づいて説明する。なお、クロノグラフ時計１のスタート、運針及び帰零にかかわる機械的な構造５は、図１のブロック図の左側部分にも、簡単に示されている。
【００３１】
クロノグラフ時計１は、通常運針用モータ（図示せず）とは別にクロノグラフ指針運針用モータ３５を備え、該クロノグラフ指針運針用モータ３５は、回転駆動された際、クロノグラフ指針運針用輪列３６を介して、クロノグラフ指針１４，１５を運針させる。
【００３２】
クロノグラフ時計１は、クロノグラフ秒針１４のあるクロノグラフ秒真２１に取付けられたクロノグラフ秒カム２２及びクロノグラフ分針１５のあるクロノグラフ分真２３に取付けられたクロノグラフ分カム２４を備える。
【００３３】
クロノグラフ時計１は、また、復針伝達第一レバー（以下では、「復針伝達レバーＢ」ともいう）２５、復針伝達第二レバー（以下では、「復針伝達レバーＡ」ともいう）２６及び復針レバー２７を備えると共に、停止レバー２８を備える。
【００３４】
復針伝達第一レバー２５は、基準位置Ｊ１（図２の（ｂ）の実線）と帰零位置Ｊ２（図２の（ａ）の実線で（ｂ）の点線）との間で回動可能であり、位置決めピン２５ａが係合する溝を備えたばね状位置決め部材２９と係合して、基準位置Ｊ１又は帰零動作位置Ｊ２に位置決めされる。復針伝達第二レバー２６は、長穴２６ａで復針伝達第一レバー２５のピン２５ｂに係合している。復針伝達第一レバー２５が基準位置Ｊ１から帰零位置Ｊ２に移動され位置設定されると、復針伝達第二レバー２６が基準位置Ｋ１（図２の（ｂ）の実線）から帰零位置Ｋ２（図２の（ａ）の実線で（ｂ）の点線）に移動される。一方、復針伝達第二レバー２６が帰零位置Ｋ２から基準位置Ｋ１に移動され位置設定されると、復針伝達第一レバー２５が帰零位置Ｊ２から基準位置Ｊ１に移動され位置決めされる。復針レバー２７は、長穴２７ａで復針伝達第二レバー２６のピン２６ｂに係合し、復針伝達第二レバー２６の基準位置Ｋ１又は帰零位置Ｋ２への位置設定に応じて、基準位置Ｍ１（図２の（ｂ）の実線）又は帰零位置Ｍ２（図２の（ａ）の実線で（ｂ）の点線）に位置決めされる。復針レバー２７が帰零位置Ｍ２に設定されると、復針レバー２７は、秒ハンマー部２７ｂでクロノグラフ秒カム２２を叩いてクロノグラフ秒針１４を初期位置に帰零させると共に、分ハンマー部２７ｃでクロノグラフ分カム２４を叩いてクロノグラフ分針１５を初期位置に帰零させる。
【００３５】
停止レバー２８は、ばね部２８ａ、係合腕部２８ｂ及び係止腕部２８ｃを備え、帰零時の訂正制御位置ないし規正位置Ｅ２（図２の（ａ）の実線で（ｂ）の点線）と訂正制御解除位置ないし規正解除位置Ｅ１（図２の（ｂ）の実線）との間でピン２８ｄのまわりで回動可能である。停止レバー２８の係止腕部２８ｃは、該停止レバー２８が規正位置Ｅ２にある状態ＳＥ２ではクロノグラフ運針用モータ３５のロータ歯車３５ａにつながるクロノグラフ運針用輪列３６のいずれかの車３６ａに対して係合して輪列３６の回転を規正し、停止レバー２８が規正解除位置Ｅ１にある状態ＳＥ１では、輪列３６の車３６ａから離されて、モータ３５のロータ歯車３５ａ及び輪列３６の回転を許容する。ばね部２８ａにおいて規正位置Ｅ２に向かう方向の偏倚力を受けている停止レバー２８は、復針伝達第一レバー２５が帰零位置Ｊ２から基準位置Ｊ１に回動変位される際に、係合腕部２８ｂにおいて復針伝達第一レバー２５の腕部２５ｄと係合して帰零時の規正位置Ｅ２から規正解除位置Ｅ１に回動変位される。一方、復針第一レバー２５が基準位置Ｊ１から帰零位置Ｊ２に移動されると、該復針第一レバー２５の腕部２５ｄと係合腕部２８ｂとの係合が解除されるので停止レバー２８はばね部２８ａのばね力により規正解除位置Ｅ１から規正位置Ｅ２に戻される。
【００３６】
クロノグラフ時計１が、図２の（ａ）に示した帰零（リセット）状態Ｓ２にある際に、スタート／ストップボタン１８がＡ１方向に押圧されると、復針伝達第二レバー２６が突起部２６ｃでＡ１方向に押されて位置Ｋ２から位置Ｋ１に変位されると共に、復針伝達第一レバー２５が位置Ｊ２から位置Ｊ１に変位され、復針レバー２７が位置Ｍ２から位置Ｍ１に変位される。これにより、ハンマー部２７ｂ，２７ｃによるハートカム２２，２４及びクロノグラフ指針１４，１５の回転規制（帰零制御）が解除される。また、復針伝達第一レバー２５の位置Ｊ２から位置Ｊ１への回動に応じて、該復針伝達第一レバー２５の腕部２５ｄに腕部２８ｂで係合した停止レバー２８が規正位置Ｅ２から規正解除位置Ｅ１に回動され、停止レバー２８の係止腕部２８ｃがクロノグラフ輪列３６から離脱して輪列３６の回転規正（停止制御）を解除する。これにより、機械的制御機構５が状態Ｓ１に戻され、クロノグラフ指針１４，１５が回転可能になる。
【００３７】
一方、クロノグラフ時計１が、図２の（ｂ）に示したスタート状態ないし運針状態Ｓ１にある際に、リセットボタン１９がＢ１方向に押圧されると、復針伝達第一レバー２５が突起部２５ｃでＢ１方向に押されて復針伝達第一レバー２５が位置Ｊ１から位置Ｊ２に変位される。復針伝達第一レバー２５が位置Ｊ１から位置Ｊ２に変位されると、一方では、該レバー２５に係合した復針伝達第二レバー２６が位置Ｋ１から位置Ｋ２に移動され、該レバー２６に係合した復針レバー２７が位置Ｍ１から位置Ｍ２に移動して、秒ハンマー２７ｂ及び分ハンマー２７ｃが秒ハートカム２２及び分ハートカム２４を叩いてクロノグラフ秒針１４及びクロノグラフ分針１５を帰零させ、他方では、停止レバー２８に対する腕部２５ｄの係止が解除され停止レバー２８が位置Ｅ１から位置Ｅ２に回動されて、腕部２８ｃでクロノグラフ輪列３６に係合して、輪列３６を規正する。
【００３８】
クロノグラフ時計１について、図２の（ａ）及び（ｂ）に示した機械的構造５に関連する範囲で電気的な側面について言えば、次のとおりである。
【００３９】
クロノグラフ時計１が、図２の（ａ）に示したリセット状態Ｓ２にある際に、スタート／ストップボタン１８がＡ１方向に押圧されると、該スタート／ストップボタン１８はその奥端の近傍においてＡ２方向の偏倚力を及ぼすスタート／ストップスイッチバネ３３を押して、接点部３４を閉じさせ、該接点部３４を介して、スタート信号Ｐａ（図１）を発生させる。なお、クロノグラフ時計１が、図２の（ｂ）に示したスタート状態Ｓ１にある際に、スタート／ストップボタン１８がＡ１方向に押圧されると、該スタート／ストップボタン１８はスタート／ストップスイッチバネ３３を押して、接点部３４を閉じさせ、該接点部３４を介して、ストップ（停止）信号Ｐｂ（図１）を発生させる。
【００４０】
一方、クロノグラフ時計１が、図２の（ｂ）に示したスタート状態（又はストップ状態）Ｓ１にある際に、リセットボタン１９がＢ１方向に押圧されると、該リセットボタン１９はその奥端の近傍においてＢ２方向の偏倚力を及ぼすリセットスイッチバネ３１を押して、接点部３２を閉じさせ、該接点部３２を介して、リセット信号Ｑａ（図１）を発生させる。
【００４１】
以上のような動作のうち、以下では、図２の（ａ）の帰零状態Ｓ２において、スタート／ストップボタン１８がＡ１方向に押圧された際のスタート動作の開始及び進行を中心に、より詳しく説明する。
【００４２】
即ち、スタート／ストップボタン１８のＡ１方向押圧に伴い、一方では、スイッチ接点３４を介して電気的な駆動開始信号Ｐａが出されてこれによりモータ３５の回転駆動が行われ、他方では、復針伝達第二レバー２６の回動に伴う復針レバー２７の回動により機械的な帰零制御状態が解除されると共に、該復針伝達第二レバー２６及び復針伝達第一レバー２５の回動に伴う停止レバー２８の回動により輪列３６の係止（停止制御状態）が解除されて、運針が機械的に許容される（機械的な規正が解除される）。
【００４３】
ここで、クロノグラフ時計１が適正に動作し、計時が正確に行われるためには、機械的な規正解除が完了した後でモータの回転駆動が行われる必要がある。このクロノグラフ時計１では、構造の複雑化及びこれに要するコストの増加を避けつつ、機械的な規正解除が完了した後で電気的な駆動が行われることを確実に行わせるようにしている。以下では、この点を中心に詳しく説明する。
【００４４】
次に、クロノグラフ時計１の電気的駆動機構６の概要を、図２の機械的構造５を参照しつつ、主として図１のブロック図に基づいて説明する。
【００４５】
クロノグラフ時計１のクロノグラフ運針用モータ３５の回転は、発振回路４１及び分周回路４２を介して与えられるクロックパルスに基づいて駆動制御されるクロノグラフ指針運針用モータ３５の駆動制御用集積回路５０によって、制御される。
【００４６】
モータ駆動制御用集積回路５０は、基本駆動制御部５１と、遅延制御部５２と、駆動パルス発生回路５３と、モータ駆動回路５４と、帰零制御部５５とを有する。ここで、クロノグラフ指針運針用モータ３５の駆動手段は、モータ駆動回路５４からなり、クロノグラフ指針運針用モータ３５の駆動制御手段は、駆動パルス発生回路５３と、基本駆動制御部５１と、遅延制御部５２と、帰零制御部５５とからなる。なお、モータ駆動制御用集積回路５０は、更に、クロノグラフ秒をカウントし該クロノグラフ秒情報を保持するクロノグラフ秒カウンタ５７、及びクロノグラフ分をカウントし該クロノグラフ分情報を保持するクロノグラフ分カウンタ５８を有する。クロノグラフ時をカウントし該クロノグラフ時情報を保持するクロノグラフ時カウンタが更に設けられていてもよい。
【００４７】
基本駆動制御部５１は、クロノグラフ時計１が帰零（リセット）状態Ｓ２にある際におけるスタート／ストップボタン１８の押下げに応じて接点部３４を介して与えられるスタート信号ないし作動信号Ｐａを受取ると、チャタリング防止用の短い期間をおいて、駆動制御信号Ｐｄを発する。以下では、後述の図４等に関連して特に断わらない限り、スタート信号Ｐａの送信時点と駆動制御信号Ｐｄの送信時点とは、実質的に同一であるとする。駆動制御信号Ｐｄは、図４に示したように、クロノグラフ動作が行われている期間の間は高レベルに保たれる信号からなる。基本駆動制御部５１は、また、クロノグラフ時計１がスタート状態Ｓ１にある際におけるスタート／ストップボタン１８の押下げに応じて接点部３４を介して与えられるストップ（停止）信号Ｐｂを受取る（又は接点部３４からのスタート信号ないし作動信号Ｐａの送出が停止される）と、駆動制御信号Ｐｄの送信を停止する。
【００４８】
基本駆動制御部５２からの駆動制御信号Ｐｄはクロノグラフ秒カウンタ５７にも与えられ、クロノグラフ秒カウンタ５７は、駆動制御信号Ｐｄが高レベルに保たれている間、分周回路４２から与えられるクロックパルスを受取ってクロノグラフ秒をカウントすると共に、該駆動制御信号Ｐｄに基づいてクロノグラフとしての計時を開始した時点ｔ０を始点として該時点から周期Ｔ毎にクロノグラフタイミングパルスＰｈを発する。このパルスＰｈの周期Ｔは、クロノグラフ時計１の計時精度に対応し、例えば、１／１００秒（即ち、１０ｍｓ）である。
【００４９】
遅延制御部５２は、基本駆動制御部５１からの駆動制御信号Ｐｄによって作動状態に設定されると共に該作動状態になったあとクロノグラフ秒カウンタ５７からの最初のタイミングパルスＰｈを受信すると、時間αＴの遅延時間の後、遅延制御信号Ｐｇを発する。この遅延制御信号Ｐｇは、図４に示したように、遅延条件を満たすと高レベルに設定されて、駆動パルス発生回路５３による駆動パルスＧの発生を可能にする。
【００５０】
駆動パルス発生回路５３は、駆動制御信号Ｐｄ、遅延制御信号Ｐｇ及びタイミングパルスＰｈを受けており、次の二つのうちのいずれかの条件が満たされた場合に、所定パルス幅の主駆動パルスＧをモータ駆動回路５４に与える。モータ駆動回路５４は、該主駆動パルスＧに応じた駆動エネルギのモータ駆動パルスＵをクロノグラフ指針運針用モータ３５に与えて、該モータ３５を回転駆動する。
（１）駆動制御信号Ｐｄが高レベルに設定されていて、且つ遅延制御信号Ｐｇが低レベルから高レベルに変った時点、及び
（２）駆動制御信号Ｐｄ及び遅延制御信号Ｐｇが高レベルに保たれていて、タイミングパルスＰｈを受信した時点。
【００５１】
一方、基本駆動制御部５１が停止信号Ｐｂを受けると、該駆動制御部５１は、駆動制御信号Ｐｄの送出を停止して（所望ならば、駆動停止信号Ｐｆを与えてもよい）、駆動パルス発生回路５３からの駆動パルスＧの送出が停止され、モータ駆動回路５４によるモータ駆動パルスＵの送出が停止され、クロノグラフ指針運針用モータ３５の回転駆動が停止されて、該モータ３５のロータないし出力軸の回転が停止し、クロノグラフ指針運針用輪列３６を介するクロノグラフ指針１４，１５の運針が停止される。
【００５２】
なお、リセットボタン１９の押圧によりスイッチバネ３１が押下げられて接点部３２が閉じた場合、リセット信号Ｑａが帰零制御部５５に与えられる。帰零制御部５５は、接点部３２からのリセット信号Ｑａを受取ると、駆動パルス発生回路５３に駆動停止信号Ｐｆを与える。その結果、駆動パルス発生回路５３は、駆動パルスＧの発生を停止して、モータ駆動回路５４によるモータ駆動パルスＵの送出を停止させる。従って、クロノグラフ指針運針用モータ３５の回転駆動が停止され、クロノグラフ指針１４，１５の運針が停止される。なお、帰零制御部５５は、リセット信号Ｑａの受信に応じて、クロノグラフ秒カウンタ５７及びクロノグラフ分カウンタ５８の内容をゼロにリセットする。
【００５３】
次に、図１のクロノグラフ時計１について、主として遅延制御部５２の遅延制御動作を、図４のタイムチャートに基づいて、具体的に説明する。
【００５４】
クロノグラフ時計１が、リセット状態Ｓ２にある状況で、時点ｔ０において、スタート／ストップボタン１８がＡ１方向に押込まれるとする。スタート／ストップボタン１８の押下げに伴い、接点部３４が閉じられて、該接点部３４を介してスタート信号Ｐａが出る。このスタート信号Ｐａは、該スタート／ストップボタン１８の押下げに伴う接点部３４の閉成が継続される時点ｔｘまで継続される。
【００５５】
スタート信号Ｐａが基本駆動制御部５１に与えられると、該基本駆動制御部５１は、チャタリングの影響を避けるに必要な短い時間の後、時点ｔ０において、低レベルから高レベルに変わる駆動制御信号Ｐｄを発する。
【００５６】
一方、遅延制御部５２は、リセット状態Ｓ２の後の最初のタイミングパルスＰｈを時点（ｔ０＋Ｔ）に受けると、該パルスＰｈの受信時点（ｔ０＋Ｔ）からαＴだけの遅延時間をおいた時点［ｔ０＋（１＋α）Ｔ］において低レベルから高レベルに変る遅延制御信号Ｐｇを発し、該信号Ｐｇに基づいて駆動パルス発生回路５３に主駆動パルスＧを発生させ、実際上、時点［ｔ０＋（１＋α）Ｔ］において、モータ駆動回路５４にモータ駆動パルスＵを発生させる。
【００５７】
すなわち、この遅延制御がない従来の場合、Ｕ（従来）として最下段に示したように、時点（ｔ０＋Ｔ）においてモータ駆動パルスＵ（従来）が出されていたのに対して、このクロノグラフ時計１では、当該時点（ｔ０＋Ｔ）よりも、時間αＴだけ遅延した時点において、モータ駆動パルスＵがモータ駆動回路５４から出るように、遅延制御部５２が駆動パルス発生回路５３を遅延制御する。
【００５８】
ここで、停止レバー２８は、図４の最上段に示したように、時点ｔ０から時間（β＋γ）Ｔだけ経過した時点まで輪列３６を規正している。すなわち、スタート／ストップボタン１８が押されて、接点３４が閉じられ駆動制御信号Ｐｄが高レベルになる時点ｔ０から、時間βＴだけ経過するまでは、機械系である停止レバー２８の規正解除は生じない。一方、機械的機構５に不可避のバラツキにより、規正解除のタイミングがバラツキ、該規正解除は、時点（ｔ０＋βＴ）から時点［ｔ０＋（β＋γ）Ｔ］までの時間γＴの間に生じる。
【００５９】
ところが、図４の最下段に示したように、従来のモータ駆動パルスＵ（従来）が出るタイミング（ｔ０＋Ｔ）は、上記の時点（ｔ０＋βＴ）と時点［ｔ０＋（β＋γ）Ｔ］との間に含まれ、（ｔ０＋βＴ）≦（ｔ０＋Ｔ）≦［ｔ０＋（β＋γ）Ｔ］すなわちβ≦１≦（β＋γ）である。すなわち、従来のようなタイミングで最初のモータ駆動パルスＵ（従来）が出されると、該パルスＵ（従来）が出る時点では、停止レバー２８による輪列３６の規正が未だ解除されていない虞れがあり、該規正が解除されていない場合には、クロノグラフ指針１４等の運針は行われず、表示が実際の時間からズレるのを避け難くなる。
【００６０】
これに対して、遅延制御部５２によって遅延制御されたモータ駆動パルスＵが出る時点［ｔ０＋（１＋α）Ｔ］は、図４において下から二番目の段に示したように、停止レバー２８による規正解除の可能性のある期間の終期（最大限のばらつき）［ｔ０＋（β＋γ）Ｔ］よりも後である。即ち、（１＋α）Ｔ≧（β＋γ）Ｔである（換言すれば、α≧（β＋γ−１）である）。従って、モータ駆動パルスＵが出されると、該モータ駆動パルスＵによってモータ３５が確実に回転駆動され、指針１４，１５が確実に運針され得る。
【００６１】
一方、二回目以降のモータ駆動パルスＵは、停止レバー２８の規正解除後になり、これらの時点では遅延制御信号Ｐｇは高レベルに保たれたままであって主駆動パルスＧの発生を妨げないので、従来どおり、計時周期Ｔの時点（ｔ０＋２Ｔ），（ｔ０＋３Ｔ），（ｔ０＋４Ｔ），・・・において出力される。
【００６２】
次に、以上の如く構成されたクロノグラフ時計１の動作を、図１から図４を参照しつつ、主として図５に示したフローチャートに基づいて、説明する。このフローチャートは、図１のクロノグラフ時計１のうち、主として、集積回路５０の基本駆動制御部５１及び遅延制御部５２の動作を、該動作に対応するプログラムの処理の流れとして示したものである。
【００６３】
クロノグラフ時計１では、最初の処理ステップＺ０１において、クロノグラフ動作の開始（スタート）が指示されたか否かをチェックする。このスタートチェックステップＺ０１は、スタート／ストップボタン１８のＡ１方向押圧によるスイッチバネ３３のＡ１方向変位によって接点部３４が閉成され接触して接点部３４から作動信号ないしスタート信号Ｐａが集積回路５０の基本駆動制御部５１に与えられたか否かがチェックされることに対応する。
【００６４】
スタート信号Ｐａが出されていない場合、ステップＺ０２においてリセット（帰零）指示が出されたか否かをチェックする。このリセットチェックステップＺ０２は、リセット（帰零）ボタン１９のＢ１方向押圧によるスイッチバネ３１のＢ１方向変位によって接点部３２が閉成されて接点部３２からリセット信号Ｑａが集積回路５０の帰零制御部５５に与えられたか否かがチェックされることに対応する。リセット信号Ｑａが出されていない場合、最初の処理ステップＺ０１に戻る。リセット信号Ｑａが出されている場合、ステップＺ０３においてクロノグラフ秒カウンタ５７及びクロノグラフ分カウンタ５８の内容をゼロに戻すカウントリセット処理をした後、最初の処理ステップＺ０１に戻る。
【００６５】
スタートチェックステップＺ０１において、クロノグラフ動作の開始指示（スタート信号Ｐａ）を確認した場合、ステップＺ０４において、クロノグラフ動作の計時周期Ｔ（この例では、例えば、１／１００秒すなわち１０ｍｓ（ミリ秒））に相当する時間が経過したかどうかをチェックする。計時周期Ｔに達するとステップＺ１１に移る。これは、クロノグラフ秒カウンタ５７において、クロノグラフ動作の開始時点ｔ０以降の時間が計時され、計時周期Ｔに相当する時間に達すると、タイミングパルスＰｈが出されることに対応する。
【００６６】
時間Ｔが経過した場合、ステップＺ１１において、スタート信号Ｐａを受けた後初めての計時タイミング（この例では、時点（ｔ０＋Ｔ））であるか否かがチェックされる。初めてである場合、ステップＺ１２において、所定の遅延時間αＴだけ待つ。この待ち時間ないし遅延時間αＴは、例えば、分周回路４２からの所望のクロック信号に基づいて計時する。
【００６７】
これらのステップＺ１１及びＺ１２は、「遅延制御部５２が、基本駆動制御部５１からの駆動制御信号Ｐｄによって作動状態に設定されると共に該作動状態になったあとクロノグラフ秒カウンタ５７からの最初のタイミングパルスＰｈを受信すると、時間αＴの遅延時間の後、遅延制御信号Ｐｇを発する」ことに対応する。
【００６８】
次に、ステップＺ１３において、時点［ｔ０＋（１＋α）Ｔ］において高レベルに変化する遅延制御信号Ｐｇを遅延制御部５２から出し、該信号Ｐｇに基づいて、駆動パルス発生回路５３及びモータ駆動回路５４から、順次、駆動パルスＧ及びモータ駆動パルスＵを出して、モータ３５を駆動する。すなわち、リセット状態Ｓ２にあったクロノグラフ時計１において、スタート／ストップボタン１８の押圧により時点ｔ０においてスタート信号Ｐａが初めて出された場合には、当該時点ｔ０に高レベルになる駆動制御信号Ｐｄに応じて、時点［ｔ０＋（１＋α）Ｔ］において高レベルになる遅延制御信号Ｐｇが出され、モータ駆動パルスＵが、最初の計時時点（ｔ０＋Ｔ）よりも時間αＴだけ遅延して出される。その結果、停止レバー２８による規正の解除のタイミングに個体差がある場合でも、モータ駆動パルスＵの送信が、停止レバー２８による輪列３６の規正の解除が完了する時点よりも確実に後に行われ得る。
【００６９】
一方、ステップＺ１１において、初回ではない旨の判定を受けると、ステップＺ１３に至って、モータ３５の駆動が行われる。即ち、二回目以降の時点ｔ０＋２Ｔ，ｔ０＋３Ｔ，ｔ０＋４Ｔ，・・・においては、遅延制御信号Ｐｇが高レベルに保たれるので、遅延制御部５２が関与することなく、駆動パルス発生回路５３及びモータ駆動回路５４の下でモータ駆動パルスＵが出されて、モータ３５が回転駆動される（ステップＺ１３）。
【００７０】
ステップＺ１３において各回の運針駆動が行われると、ステップＺ０６において、クロノグラフのリセット指示（リセット信号Ｑａ）が出たか否かがチェックされる。ステップＺ０６自体は、ステップＺ０２と同じである。
【００７１】
リセット指示が出ていない場合、ステップＺ０７において、クロノグラフの停止（ストップ）指示（停止信号Ｐｂ）が出たか否かがチェックされる。
【００７２】
ストップ指示が出ていない場合、ステップＺ０４に戻って、時点ｔ０＋ｎＴ（ｎは２以上の整数）に至ったかどうかがチェックされ、時点ｔ０＋ｎＴに達するごとに、ステップＺ１１，Ｚ１３においてクロノグラフ指針１４，１５の運針駆動を行う。
【００７３】
なお、ステップＺ０４において、計時周期に達していない場合、通常は、計時周期に達するまでステップＺ０６，Ｚ０７を通ってステップＺ０４に戻ることが繰返される。
【００７４】
ここで、スタートステップＺ０１の後、ステップＺ０７においてストップ指示（停止信号Ｐｂ）が出るまで、ステップＺ０４，Ｚ１１，Ｚ１３においてクロノグラフ指針１４，１５を運針させると共にその後ステップＺ０６，Ｚ０７を「Ｎｏ」で抜けることを繰返すことにより、クロノグラフ指針１４，１５の運針を行わせる通常のクロノグラフ運針動作が行われる。
【００７５】
一方、ステップＺ０７においてストップ指示が出たこと（接点部３４からの停止信号Ｐｂの送出）を駆動制御部５１で検出するとステップＺ０８に入り、該ステップＺ０８において、クロノグラフ指針１４，１５の運針を停止させるストップ処理（駆動パルス発生回路５３に対する制御信号Ｐｄの送信の停止又は駆動停止信号Ｐｆの送信）を行ない、その後、ステップＺ０１に戻る。
【００７６】
また、ステップＺ０６においてリセット指示が出たこと（接点部３２からのリセット信号Ｑａの送出）を検出すると、帰零制御部５５は、駆動停止信号Ｐｆを駆動パルス発生回路５３に与える点でステップＺ０８と同様なクロノグラフ運針停止ステップＺ０９に入り、該運針停止ステップＺ０９においてクロノグラフ指針１４，１５の運針を停止させるストップ処理を行なう。帰零制御部５５は、次に、ステップＺ０３と同様なカウントリセットステップＺ０３ａにおいてクロノグラフ秒カウンタ５７及びクロノグラフ分カウンタ５８の内容をゼロに戻すカウントリセット処理をした後、最初の処理ステップＺ０１に戻る。
【００７７】
以上のようにして、モータ駆動パルスＵの発生を帰零解除後の最初の一回目だけ遅らせる場合、遅延量が比較的大きいときには、遅延して出されたモータ駆動パルスＵと遅延なくして次に出されるモータ駆動パルスＵとの間隔が計時周期Ｔと比較して極端に短くなることが生じ得る。そのような場合には、針の運針挙動が不自然になる場合もあり得る。
【００７８】
従って、このような不具合を避けるべく、モータ駆動パルスＵの発生を帰零解除後の最初の一回目だけ遅らせる代わりに、図６から図８の変形例に示したように、該モータ駆動パルスＵの発生を複数回に亙って遅らせると共に該遅延量を徐々に小さくしてもよい。
【００７９】
すなわち、時点ｔ０においてスタート信号Ｐａ及び駆動制御信号Ｐｄが出されてクロノグラフ計時が開始されるとすると、この変形例のクロノグラフ時計１Ａでは、遅延制御部５２Ａが、図７のタイムチャートに示したように、時点［（ｔ０＋Ｔ）＋δ１・Ｔ］（但し、α＝δ１），［（ｔ０＋２Ｔ）＋δ２・Ｔ］，［（ｔ０＋３Ｔ）＋δ３・Ｔ］において、低レベルから高レベルに変る遅延制御信号ＰｇＡを発する。ここで、各時点［（ｔ０＋Ｔ）＋δ１・Ｔ］，［（ｔ０＋２Ｔ）＋δ２・Ｔ］，［（ｔ０＋３Ｔ）＋δ３・Ｔ］は、図７の最下段に示した従来のモータ駆動パルスＵ（従来）が出されていたタイミング（ｔ０＋Ｔ），（ｔ０＋２Ｔ），（ｔ０＋３Ｔ）と比較して、δ１・Ｔ，δ２・Ｔ，δ３・Ｔだけ遅い。なお、時点［（ｔ０＋Ｔ）＋δ１・Ｔ］，［（ｔ０＋２Ｔ）＋δ２・Ｔ］において出される遅延制御信号ＰｇＡは、次の遅延制御信号ＰｇＡが適切なタイミングで出され得るように比較的狭いパルス幅のパルスからなる。一方、最後の時点［（ｔ０＋３Ｔ）＋δ３・Ｔ］において低レベルから高レベルに移った遅延制御信号ＰｇＡは、それ以降、高レベルに保たれることは、図４に示した遅延制御信号Ｐｇと同様である。
【００８０】
この例では、例えば、Ｔ＝１０ｍｓ，δ１・Ｔ＝６ｍｓ，δ２・Ｔ＝４ｍｓ，δ３・Ｔ＝２ｍｓであって、δ１＞δ２＞δ３であって遅延時間δ１・Ｔ，δ２・Ｔ，δ３・Ｔが２ｍｓずつ短くなって、三回のパルスの遅延の後、四回目のモータ駆動パルスＵは、従来のモータ駆動パルスＵ（従来）と同じタイミングで出される。
【００８１】
次に、以上の如く構成された変形例のクロノグラフ時計１Ａの動作について、図１、図４及び図５のクロノグラフ時計１との相違点について図８に示したフローチャートに基づいて、説明する。
【００８２】
このクロノグラフ時計１Ａでは、図８のフローチャートからわかるように、クロノグラフ動作の開始によりステップＺ０１をＹｅｓで抜けた直後のモータ駆動パルスＵの発生のタイミングを、複数回のモータ駆動パルスＵについて、制御する。
【００８３】
そのために、ステップＺ２０において、遅延制御すべきモータ駆動パルスＵの発生回数ｎを指定する。計時周期Ｔに達するごとに（ステップＺ０４）、遅延制御の回数が所定回数ｎに達したか否かをチェックする（ステップＺ２１）。遅延制御の回数が所定回数ｎに達していない場合、該回数に応じた待ち時間δｊ・Ｔ（但し、ｊ＝（ｎ−ｉ＋１），ｉ＞０）だけ遅延させ（ステップＺ２２）、遅延回数を更新し（ステップＺ２４）、遅延制御信号ＰｇＡを発する。これに基づいて、所定のタイミングで、駆動パルス発生回路５３Ａ及びモータ駆動回路５４を介してモータ駆動パルスＵを発生させる。
【００８４】
以上において、ステップＺ２０，Ｚ２１，Ｚ２２及びＺ２４が遅延制御部５２Ａが行うべき機能である。なお、ステップＺ２０の初期設定が、時点ｔ０において駆動制御部５１からの駆動制御信号Ｐｄが高レベルになったことが遅延制御部５２Ａに伝えられた際に、行われる。一方、ステップＺ０４において時点ｔ０のあと計時周期Ｔが経過し時点（ｔ０＋Ｔ）に達したことをクロノグラフ秒カウンタ５７からのタイミングパルスＰｈによって知らされると、遅延制御部５２Ａは、ステップＺ２１以降の遅延制御処理に入ることになる。
【００８５】
以上のような遅延制御の期間が、スタートパルスＰａの発生後、数回（ｉ＝ｎ，（ｎ−１），・・・，１のｎ回）の計時周期Ｔの間続く点を除いて、クロノグラフ時計１Ａについての図８のフローチャートは、クロノグラフ時計１についての図５のフローチャートと同じである。
【００８６】
また、図１、図４及び図５に示した実施例のクロノグラフ時計１のように、モータ駆動パルスＵの発生を帰零解除後の最初の一回目だけ遅らせる場合、個体によっては、停止レバー２８の規正解除のタイミングが通常よりも相当遅れていることもあり得、特に、遅延制御の時間αＴを極力小さい範囲で抑えようとすると、該時点（ｔ０＋Ｔ＋αＴ）よりも後で規正解除される場合を無視し難くなる。従って、このような場合も良品として動作し得るようにすることも有益である。
【００８７】
このような観点に立って、帰零解除後の最初の一回目の所定時間遅延したモータ駆動パルスＵを一発だけ出す代わりに、図９から図１１の変形例に示したように、該一発目のモータ駆動パルスＵによってはモータ３５の回転が生じなかった場合に、最初のモータ駆動パルスＵと同じモータ駆動パルスＵを、モータ３５の回転が検出されるまで（但し、所定の時間の範囲内で）、繰返しモータ３５に与えるようにしてもよい。
【００８８】
すなわち、図９から図１１の変形例のクロノグラフ時計１Ｂでは、図９のブロック図に示したように、クロノグラフ計時開始時点ｔ０を基準にして計時周期ＴよりもαＴだけっ遅延した時点（ｔ０＋Ｔ＋αＴ）に出されたモータ駆動パルスＵによってモータ３５の回転が生じたか否かを検出し、回転が検出されなかった場合に非回転検出信号Ｖを発する回転検出回路５６を更に有し、遅延制御部５２Ｂは、該回転検出回路５６から非回転検出信号Ｖを受けた場合、時点（ｔ０＋Ｔ＋αＴ）よりもα１・Ｔだけ後の該時点（ｔ０＋Ｔ＋αＴ＋α１・Ｔ）が所定の時点（ｔ０＋ｍＴ）（例えば、ｍ＝２）よりも前であれば、駆動パルス発生回路５３Ｂをしてモーター駆動回路５４から再度モータ駆動パルスＵを出させてモータ３５を回転駆動させるように構成されている。
【００８９】
なお、回転検出回路５６は、更に、例えば、運針開始時点ｔ０ではなくて一旦運針を開始した後においてモータ３５がモータ駆動パルスＵを受けて回転していたにもかかわらず回転しなくなった場合に、非回転検出に基づく駆動制御信号Ｐｅを駆動パルス発生回路５３Ｂに与えて、幅広の補正駆動信号をモータ駆動回路５４から出させるようにも構成されるけれども、それ自体は、例えば、特開２００３−４８７２号公報から公知であるので、その説明は省略する。
【００９０】
遅延制御部５２Ｂ及び回転検出部５５の動作を、図１０のタイムチャートに基づいて説明すると、次のとおりである。
【００９１】
すなわち、時点ｔ０においてスタート信号Ｐａに基づいて駆動制御信号Ｐｄが高レベルに設定されてクロノグラフ計時が開始されるとすると、この変形例のクロノグラフ時計１Ｂでは、遅延制御部５２Ｂが、図１０のタイムチャートに示したように、時点（ｔ０＋Ｔ＋αＴ）において、高レベルになるパルス状の遅延制御信号ＰｇＢを発する。この遅延制御信号ＰｇＢに基づいて、モータ駆動パルスＵが時点（ｔ０＋Ｔ＋αＴ）においてモータ３５に与えられる。このモータ駆動パルスＵによって、モータ３５の回転が生じれば、クロノグラフ時計１についての図４のタイムチャートで示したのと同様な動作になる（但し、遅延制御信号ＰｇＢは、二回目のタイミングパルスＰｈを受けて高レベルに設定され、それ以降高レベルを保つ）。
【００９２】
ところが、図１０のタイムチャートにおいて、最上段の停止レバー２８の規正解除のタイミングで示したように、特定の個体の規正解除のタイミングが最も遅い時点［ｔ０＋（β＋γ）Ｔ］の近傍にあり且つ該時点［ｔ０＋（β＋γ）Ｔ］が最初のモータ駆動パルスＵの出るタイミング（ｔ０＋Ｔ＋αＴ）よりも遅いような事態（図１０に示した事態）が生じた場合、最初のモータ駆動パルスＵによっては、モータ３５の回転は生じない。従って、回転検出回路５６から非回転検出信号Ｖが出されて、遅延制御部５２Ｂに与えられる。遅延制御部５２Ｂが非回転検出信号Ｖを受ける時点が所定の時点ｔ＋ｍＴ（例えば、時点（ｔ０＋２Ｔ））よりも前である場合には、遅延制御部５２Ｂが時点（ｔ０＋Ｔ＋αＴ＋α１・Ｔ）において高レベルになる駆動制御信号ＰｇＢを駆動パルス発生回路５３Ｂに再度与えて、モータ駆動回路５４からの最初と同相のモータ駆動パルスＵによるモータ３５の回転駆動を行わせる。ここで、モータ３５は、一回のモータ駆動パルスにより有効に回転駆動される毎に半回転されるロータを備えた通常の時計用モータである。
【００９３】
この場合、この時点（ｔ０＋Ｔ＋αＴ＋α１・Ｔ）は、停止レバー２８による規正が解除される最も遅い時点［ｔ０＋（β＋γ）Ｔ］よりも後であるから、モータ駆動パルスＵによって、モータ３５の回転駆動が行われる。
【００９４】
なお、このように、遅れてモータ３５の回転駆動が行われた場合には、次のモータ駆動パルスＵの出るタイミングが後にずれざるを得なくなることもある。図１０の例では、二回目のモータ駆動パルスＵに関わる駆動制御信号が実際上遅れ、遅延制御信号ＰｇＢが遅延をもって出力され、これに応じて、二回目のモータ駆動パルスＵが遅延して出されている。すなわち、非回転検出信号Ｖが出されたことにより、モータ駆動パルスＵが繰返し出されてモータ３５の回転駆動が行われた場合には、必要に応じて、その次のモータ駆動パルスＵも遅延させて出すように遅延制御部５２Ｂが動作されることになる。これは、図６〜図８の変形例において行ったのと同様な変形を行えば足りるので、ここでは、説明を省略する。
【００９５】
また、図１０のタイムチャートにおいて、最下段のモータ駆動パルスＵ（従来）のうち、非回転検出及び補正駆動は、前述のように、モータ３５の非回転が検出された場合に、機械的な摩擦その他の不具合によって回転し難くなっていると想定して、非回転信号Ｐｅを発して、主駆動パルスよりもパルス幅が大きく駆動エネルギの大きい補助駆動パルスによって強制的に回転させる従来の動作を参考のために対比的に示したものである。
【００９６】
次に、以上の如く構成された変形例のクロノグラフ時計１Ｂの動作について、図１、図４及び図５のクロノグラフ時計１との相違点を中心に、主として図１１に示したフローチャートに基づいて、説明する。
【００９７】
即ち、このクロノグラフ時計１Ｂのフローチャートでは、ステップＺ１２を所定の待ち時間（遅延）で抜けて、ステップＺ１３においてモーター駆動回路５４からのモータ駆動パルスＵによってモータ３５を回転駆動する点までは、図５に示したクロノグラフ時計１の動作と同じである。
【００９８】
このクロノグラフ時計１Ｂの場合、ステップＺ３１において、回転検出回路５６から非回転検出信号Ｖが出されたか否かがチェックされ、非回転検出信号Ｖが出されていないときには、図１のクロノグラフ時計１の場合と同様に、ステップＺ０６に入る。
【００９９】
一方、非回転検出信号Ｖが出されている場合、ステップＺ３２に移って、「運針開始後であるか否か」、即ち、「一旦運針されたか否か」がチェックされる。この場合、未だ、運針が開始されていないので、ステップＺ３２をＮｏで抜けて、ステップＺ３３に入る。ステップＺ３３では、非回転検出の所定時間（例えば、ｍＴで、適正な停止レバー２８による規正解除が生じる最も遅いタイミングに相当する時間よりも確実に長い所望の時間が設定される）が経過したか否かがチェックされ、経過していなければ（即ち、未だ停止レバー２８により規正されている可能性があると判断されると）、ステップＺ０６、Ｚ０７を経て再度、ステップＺ０４に戻る。ステップＺ０４では、（この場合、最初の）計時周期に達したかどうかがチェックされ、このステップＺ０４をＹｅｓで抜け、既に初回ではないのでステップＺ１１をＮｏで抜けてステップＺ１３に入って、再度、モータ駆動パルスＵを出させて、モータ３５の回転駆動を行う。次に、ステップＺ３１において、非回転検出を行う。ステップＺ３３の所定時間が経過するまでは、ステップＺ３１，Ｚ３２，Ｚ３３，Ｚ０４，Ｚ１１，Ｚ１３を繰返してモータ駆動パルスＵによるモータ３５の回転駆動が繰返され、モータ３５が回転されると、ステップＺ３１をＮｏで抜けて、ステップＺ０６に入る。
【０１００】
なお、一旦運針が開始された後は、Ｚ３１の非回転検出ステップは、劣化等によって摩擦等が増加して回転し難くなっている場合に補正駆動によって強制的な補正駆動（ステップＺ３４）を行う従来の処理に利用される。
【０１０１】
図１１に示したフローチャートでは、図１０に示したタイムチャートのうち、時点（ｔ０＋Ｔ＋αＴ＋α２・Ｔ）における遅延したモータ駆動パルスＵの生成については示していないけれども、時点（ｔ０＋Ｔ＋αＴ＋α１・Ｔ）における繰返しのモータ駆動パルスＵによってモータ３５の回転が初めて行われた場合に、その後、ステップＺ０６，Ｚ０７を経た後最初に通るステップＺ１１においては、ステップＺ１２と同様な待ちステップを通るような遅延制御を行うようにすれば、図１０のタイムチャートに示した処理に対応することになる。なお、通常の時計用モータにおいて、繰返しトライされるモータ駆動パルスＵは同相であり、一旦回転駆動された後、次に与えられるモータ駆動信号は逆相である。
【０１０２】
本実施例においては、クロノ秒針が６時側、クロノ分針が９時側に配置されたクロノグラフの例を用いて説明したが、針１３をクロノ秒針として用いるセンタークロノグラフに適用しても良い。
【図面の簡単な説明】
【０１０３】
【図１】本発明の好ましい一実施例のクロノグラフ時計のクロノグラフ機構のブロック図。
【図２】図１のクロノグラフ時計のクロノグラフ機構の機械的な構造の概要を示したもので、（ａ）はリセットボタンの押圧により帰零状態にある場合におけるクロノグラフ機構の機械的な構造の平面説明図、（ｂ）はスタート／ストップボタンの押圧によりクロノグラフ指針が運針状態にある場合におけるクロノグラフ機構の機械的な構造の平面説明図。
【図３】図１のクロノグラフ時計の外観を示した平面説明図。
【図４】図１のクロノグラフ時計がリセット状態からスタート指示に応じてクロノグラフ運針状態に入る場合の関連信号の変化を示したタイムチャート。
【図５】図１のクロノグラフ時計の操作及び動作を示したフローチャート。
【図６】本発明の好ましい一変形例のクロノグラフ時計のクロノグラフ機構のブロック図。
【図７】図６のクロノグラフ時計がリセット状態からスタート指示に応じてクロノグラフ運針状態に入る場合の関連信号の変化を示したタイムチャート。
【図８】図６のクロノグラフ時計の操作及び動作を示したフローチャート。
【図９】本発明の好ましい別の一変形例のクロノグラフ時計のクロノグラフ機構のブロック図。
【図１０】図９のクロノグラフ時計がリセット状態からスタート指示に応じてクロノグラフ運針状態に入る場合の関連信号の変化を示したタイムチャート。
【図１１】図９のクロノグラフ時計の操作及び動作を示したフローチャート。
【符号の説明】
【０１０４】
１，１Ａ，１Ｂ  クロノグラフ時計
５  機械的帰零制御機構
６  電気的駆動機構
１１  時針
１２  分針
１３  秒針
１４  クロノグラフ秒針
１５  クロノグラフ分針
１６  巻真
１７  日付
１８  スタート／ストップボタン
１９  リセットボタン
２１  クロノグラフ秒真
２２  クロノグラフ秒カム
２３  クロノグラフ分真
２４  クロノグラフ分カム
２５  復針伝達第一レバー（復針伝達レバーＢ）
２６  復針伝達第二レバー（復針伝達レバーＡ）
２７  復針レバー
２８  停止レバー
３１  リセットスイッチバネ
３２  接点部
３３  スタートストップスイッチバネ
３４  接点部
３５  クロノグラフ指針運針用モータ
３６  クロノグラフ指針運針用輪列
４１  発振回路
４２  分周回路
５０  モータ駆動制御用集積回路
５１  基本駆動制御部
５２，５２Ａ，５２Ｂ  遅延制御部
５３，５３Ａ，５３Ｂ  駆動パルス発生回路
５４  モータ駆動回路
５５  帰零制御部
５６  回転検出回路
５７  クロノグラフ秒カウンタ
５８  クロノグラフ分カウンタ
Ａ１，Ａ２  方向
Ｂ１，Ｂ２  方向
Ｃ１，Ｃ２，Ｃ３  中心軸線
Ｄ１  方向
Ｇ  駆動パルス
Ｊ１，Ｋ１，Ｍ１  基準位置
Ｊ２，Ｋ２，Ｍ２  帰零位置
Ｐａ  スタート信号（作動信号）
Ｐｂ  駆動停止信号
Ｐｄ  駆動制御信号
Ｐｅ  駆動制御信号
Ｐｆ  駆動停止信号
Ｑａ  リセット信号
Ｓ１  運針状態
Ｓ２  帰零状態
ｔ０  クロノグラフ計時開始時点
Ｔ  計時周期
αＴ：  遅延時間
βＴ：  停止レバー規正解除開始時点
γＴ：  停止レバー規正解除バラツキ時間幅
δ１，δ２，δ３：  遅延の程度
Ｕ，Ｕ１  モータ駆動パルス
Ｖ  モータ非回転検出信号
Ｚ０１，Ｚ０２，Ｚ０３，Ｚ０３ａ，Ｚ０４，Ｚ０６，Ｚ０７，Ｚ０８，Ｚ０９，Ｚ１１，Ｚ１２，Ｚ１３，Ｚ２０，Ｚ２１，Ｚ２２，Ｚ２３，Ｚ２４，Ｚ３１，Ｚ３２，Ｚ３３，Ｚ３４  処理ステップ
【図１】
0005096960.tif 000002
【図２】
0005096960.tif 000003
【図３】
0005096960.tif 000004
【図４】
0005096960.tif 000005
【図５】
0005096960.tif 000006
【図６】
0005096960.tif 000007
【図７】
0005096960.tif 000008
【図８】
0005096960.tif 000009
【図９】
0005096960.tif 000010
【図１０】
0005096960.tif 000011
【図１１】
0005096960.tif 000012